(57)【要約】【課題】視聴制限テーブル情報を適正なタイミングで更新する。【解決手段】デジタル放送受信機のＲＡＭ１２は、第１所定数の列及び第２所定数の行を有し、列方向の位置及び行方向の位置に応じて視聴制限条件が規定されたテーブルである視聴制限テーブル情報を格納するテーブル記憶部１２１を備え、ＭＰＵ１１は、番組毎の視聴制限条件を規定するＣＡＤを取得する視聴制限取得部１１１と、ＣＡＤの列番号が第１所定数より大きいか、又は、ＣＡＤの行番号が第２所定数より大きいとの条件を満たすか否かを判定する第１判定部１１２と、条件を満たすと判定された場合に受信部１５を介して視聴制限テーブル情報を取得するテーブル取得部１１５と、テーブル記憶部１２１に格納された視聴制限テーブル情報を、取得された視聴制限テーブル情報に更新するテーブル更新部１１６と、を備えている。【選択図】図３
2008167191.tif 000002
【特許請求の範囲】
【請求項１】
テレビジョン放送を受信し、外部から視認可能にモニタに出力可能に構成された放送受信装置であって、
２以上の第１所定数の列及び２以上の第２所定数の行を有し、列方向の位置及び行方向の位置に応じて予め設定された視聴制限条件が規定されたテーブルである視聴制限テーブル情報、及び、該視聴制限テーブル情報に対応する視聴制限テーブルのバージョンを示す情報であるバージョン情報を格納するテーブル記憶手段と、
番組毎の視聴制限条件を、前記視聴制限テーブルの列方向の位置を示す列番号情報及び行方向の位置を示す行番号情報によって規定する番組視聴制限情報を取得する視聴制限取得手段と、
前記視聴制限取得手段によって取得された番組視聴制限情報の列番号が前記第１所定数より大きいとの列判定条件、及び、前記視聴制限取得手段によって取得された番組視聴制限情報の行番号が前記第２所定数より大きいとの行判定条件、の少なくとも一方を満たすか否かを判定する第１判定手段と、
テレビジョン放送を介して、前記視聴制限テーブル情報に対応する視聴制限テーブルのバージョン情報を取得するバージョン取得手段と、
前記バージョン取得手段によって取得されたバージョン情報が、前記テーブル記憶手段に格納された視聴制限テーブル情報に対応するバージョン情報と一致するか否かを判定する第２判定手段と、
前記第１判定手段によって列判定条件及び行判定条件の少なくとも一方を満たすと判定された場合、又は、前記第２判定手段によって一致しないと判定された場合に、テレビジョン放送を介して、前記視聴制限テーブル情報を取得するテーブル取得手段と、
前記テーブル取得手段によって視聴制限テーブル情報が取得された場合に、前記テーブル記憶手段に格納された視聴制限テーブル情報及びバージョン情報を消去すると共に、前記テーブル取得手段によって取得された視聴制限テーブル情報、及び、前記バージョン取得手段によって取得されたバージョン情報を前記テーブル記憶手段に格納するテーブル更新手段と、
を備えることを特徴とする放送受信装置。
【請求項２】
テレビジョン放送を受信し、外部から視認可能にモニタに出力可能に構成された放送受信装置であって、
２以上の第１所定数の列及び２以上の第２所定数の行を有し、列方向の位置及び行方向の位置に応じて予め設定された視聴制限条件が規定されたテーブルである視聴制限テーブル情報を格納するテーブル記憶手段と、
番組毎の視聴制限条件を、前記視聴制限テーブルの列方向の位置を示す列番号情報及び行方向の位置を示す行番号情報によって規定する番組視聴制限情報を取得する視聴制限取得手段と、
前記視聴制限取得手段によって取得された番組視聴制限情報の列番号が前記第１所定数より大きいとの列判定条件、及び、前記視聴制限取得手段によって取得された番組視聴制限情報の行番号が前記第２所定数より大きいとの行判定条件、の少なくとも一方を満たすか否かを判定する第１判定手段と、
前記第１判定手段によって列判定条件及び行判定条件の少なくとも一方を満たすと判定された場合に、テレビジョン放送を介して、前記視聴制限テーブル情報を取得するテーブル取得手段と、
前記テーブル取得手段によって視聴制限テーブル情報が取得された場合に、前記テーブル記憶手段に格納された視聴制限テーブル情報を消去すると共に、取得された視聴制限テーブル情報を前記テーブル記憶手段に格納するテーブル更新手段と、
を備えることを特徴とする放送受信装置。
【請求項３】
テレビジョン放送を介して、前記視聴制限テーブル情報に対応する視聴制限テーブルのバージョンを示す情報であるバージョン情報を取得するバージョン取得手段と、
前記バージョン取得手段によって取得されたバージョン情報と、前記テーブル記憶手段に格納された視聴制限テーブル情報に対応する視聴制限テーブルのバージョン情報とが一致するか否かを判定する第２判定手段と、
を備え、
前記テーブル記憶手段は、前記視聴制限テーブル情報に対応する視聴制限テーブルのバージョン情報を格納しており、
前記テーブル取得手段は、前記第２判定手段によって一致しないと判定された場合に、テレビジョン放送を介して、前記視聴制限テーブル情報を取得し、
前記テーブル更新手段は、前記テーブル取得手段によって視聴制限テーブル情報が取得された場合に、前記テーブル記憶手段に格納された視聴制限テーブル情報及びバージョン情報を消去すると共に、前記テーブル取得手段によって取得された視聴制限テーブル情報、及び、前記バージョン取得手段によって取得されたバージョン情報を前記テーブル記憶手段に格納することを特徴とする請求項２に記載の放送受信装置。
【発明の詳細な説明】
【技術分野】
【０００１】
本発明は、テレビジョン放送を受信し、外部から視認可能にモニタに出力可能に構成された放送受信装置に関する。特に、デジタル放送を受信し、列方向の位置及び行方向の位置に応じて予め設定された視聴制限条件が規定されたテーブルである視聴制限テーブルに基づいて、視聴制限を実行可能に構成されたデジタル放送受信機に関する。
【背景技術】
【０００２】
従来、テレビジョン放送を受信し、外部から視認可能にモニタに出力可能に構成された放送受信装置では、デジタル放送の普及に伴って、視聴可能なチャンネル数が飛躍的に増加し、暴力シーン、猥褻なシーン等を含む番組が増加しており、このような番組を子供等に見せないように、子供等が視聴できる番組を制限する要求が高まっている。
【０００３】
この課題を解消するために、種々の装置が提案されている。例えば、予めユーザが視聴制限をすべきレイティングレベルを登録しておき、テレビジョン信号に重畳されて伝送された視聴制限条件を示すレイティング情報（番組視聴制限情報に相当する）が抽出されて、レイティング情報に対応するレイティングレベルが判定され、受信されたレイティングレベルが登録されているレイティングレベル以上である場合に、視聴制限を実行する（＝視聴をブロックする）テレビジョン受像装置が開示されている（特許文献１参照）。
【特許文献１】特開２０００−３５４２０９号公報
【発明の開示】
【発明が解決しようとする課題】
【０００４】
一方、２００６年３月１５日に、ＦＣＣ（Ｆｅｄｅｒａｌ  Ｃｏｍｍｕｎｉｃａｔｉｏｎｓ  Ｃｏｍｍｉｓｓｉｏｎ）によって、放送受信装置に、放送中に送信されるＲＲＴ（Ｒａｔｉｎｇ  Ｒｅｇｉｏｎ  Ｔａｂｌｅ）を取得して、取得されたＲＲＴに基づいて列方向の位置及び行方向の位置に応じて予め設定された視聴制限条件が規定されたテーブルである視聴制限テーブル（＝以下、「レイティングテーブル」という）を更新する機能を搭載することが義務付けられた（Ｃｏｄｅ  ｏｆ  Ｆｅｄｅｒａｌ  Ｒｅｇｕｌａｔｉｏｎｓ、Ｔｉｔｌｅ  ４７−Ｔｅｌｅｃｏｍｍｕｎｉｃａｔｉｏｎ、ＣＨＡＰＴＥＲ  Ｉ、§１５．１２０、“Ｐｒｏｇｒａｍ  ｂｌｏｃｋｉｎｇ  ｔｅｃｈｎｏｌｏｇｙ  ｒｅｑｕｉｒｅｍｅｎｔｓ  ｆｏｒ  ｔｅｌｅｖｉｓｉｏｎ  ｒｅｃｅｉｖｅｒｓ．”参照）。
【０００５】
また、番組毎の視聴制限条件を規定する番組視聴制限情報は、番組情報テーブル（Ｅｖｅｎｔ  Ｉｎｆｏｒｍａｔｉｏｎ  Ｔａｂｌｅ、以下「ＥＩＴ」という）内に含まれる情報であって、レイティングテーブルの列方向の位置を示す列番号情報及び行方向の位置を示す行番号情報として視聴制限条件を規定するＣＡＤ（Ｃｏｎｔｅｎｔ  Ａｄｖｉｓｏｒｙ  Ｄｅｓｃｒｉｐｔｏｒ）として送信される（ＡＴＳＣ（Ａｄｖａｎｃｅｄ  Ｔｅｌｅｖｉｓｉｏｎ  Ｓｙｓｔｅｍｓ  Ｃｏｍｍｉｔｔｅｅ）  Ｓｔａｎｄａｒｄ  Ａ／６５Ｃ  参照）。
【０００６】
従って、放送受信装置では、ＣＡＤによって規定される番組視聴制限を実行するか否かの設定を、レイティングテーブルを参照して行うことによって、番組の視聴をブロックするか否かを設定することができる。しかしながら、更新されたＲＲＴが受信される前に、更新されたＲＲＴの所定位置を示すＣＡＤが受信される場合があり、このような場合には、更新されたＲＲＴが受信されるまで、ユーザがＣＡＤに対応する視聴制限を実行するか否かの設定を行えないことになる。
【０００７】
例えば、引っ越し等に伴って、１の地域から他の地域に放送受信装置が移設されると、１の地域で受信されるＲＲＴと他の地域で受信されるＲＲＴとが、同一のバージョン情報を有する場合には、例え、テーブルの内容が相違する場合であっても、１の地域で受信されて放送受信装置に格納されたＲＲＴが、他の地域で受信されるＲＲＴに更新されない場合がある。すなわち、ＲＲＴのバージョン情報に基づいてＲＲＴを更新するか否かを判定している場合には、１の地域で受信されるＲＲＴと他の地域で受信されるＲＲＴとが同一のバージョン情報を有する際には、ＲＲＴが更新されないことになるのである。
【０００８】
本発明は、上記課題に鑑みてなされたものであって、視聴制限テーブル情報を適正なタイミングで更新することの可能な放送受信装置を提供することを目的としている。
【課題を解決するための手段】
【０００９】
上記目的を達成するために請求項１に記載の放送受信装置は、テレビジョン放送を受信し、外部から視認可能にモニタに出力可能に構成された放送受信装置であって、２以上の第１所定数の列及び２以上の第２所定数の行を有し、列方向の位置及び行方向の位置に応じて予め設定された視聴制限条件が規定されたテーブルである視聴制限テーブル情報、及び、該視聴制限テーブル情報に対応する視聴制限テーブルのバージョンを示す情報であるバージョン情報を格納するテーブル記憶手段と、番組毎の視聴制限条件を、前記視聴制限テーブルの列方向の位置を示す列番号情報及び行方向の位置を示す行番号情報によって規定する番組視聴制限情報を取得する視聴制限取得手段と、前記視聴制限取得手段によって取得された番組視聴制限情報の列番号が前記第１所定数より大きいとの列判定条件、及び、前記視聴制限取得手段によって取得された番組視聴制限情報の行番号が前記第２所定数より大きいとの行判定条件、の少なくとも一方を満たすか否かを判定する第１判定手段と、テレビジョン放送を介して、前記視聴制限テーブル情報に対応する視聴制限テーブルのバージョン情報を取得するバージョン取得手段と、前記バージョン取得手段によって取得されたバージョン情報が、前記テーブル記憶手段に格納された視聴制限テーブル情報に対応するバージョン情報と一致するか否かを判定する第２判定手段と、前記第１判定手段によって列判定条件及び行判定条件の少なくとも一方を満たすと判定された場合、又は、前記第２判定手段によって一致しないと判定された場合に、テレビジョン放送を介して、前記視聴制限テーブル情報を取得するテーブル取得手段と、前記テーブル取得手段によって視聴制限テーブル情報が取得された場合に、前記テーブル記憶手段に格納された視聴制限テーブル情報及びバージョン情報を消去すると共に、前記テーブル取得手段によって取得された視聴制限テーブル情報、及び、前記バージョン取得手段によって取得されたバージョン情報を前記テーブル記憶手段に格納するテーブル更新手段と、を備えることを特徴としている。
【００１０】
請求項２に記載の放送受信装置は、テレビジョン放送を受信し、外部から視認可能にモニタに出力可能に構成された放送受信装置であって、２以上の第１所定数の列及び２以上の第２所定数の行を有し、列方向の位置及び行方向の位置に応じて予め設定された視聴制限条件が規定されたテーブルである視聴制限テーブル情報を格納するテーブル記憶手段と、番組毎の視聴制限条件を、前記視聴制限テーブルの列方向の位置を示す列番号情報及び行方向の位置を示す行番号情報によって規定する番組視聴制限情報を取得する視聴制限取得手段と、前記視聴制限取得手段によって取得された番組視聴制限情報の列番号が前記第１所定数より大きいとの列判定条件、及び、前記視聴制限取得手段によって取得された番組視聴制限情報の行番号が前記第２所定数より大きいとの行判定条件、の少なくとも一方を満たすか否かを判定する第１判定手段と、前記第１判定手段によって列判定条件及び行判定条件の少なくとも一方を満たすと判定された場合に、テレビジョン放送を介して、前記視聴制限テーブル情報を取得するテーブル取得手段と、前記テーブル取得手段によって視聴制限テーブル情報が取得された場合に、前記テーブル記憶手段に格納された視聴制限テーブル情報を消去すると共に、取得された視聴制限テーブル情報を前記テーブル記憶手段に格納するテーブル更新手段と、を備えることを特徴としている。
【００１１】
請求項３に記載の放送受信装置は、請求項２に記載の放送受信装置であって、テレビジョン放送を介して、前記視聴制限テーブル情報に対応する視聴制限テーブルのバージョンを示す情報であるバージョン情報を取得するバージョン取得手段と、前記バージョン取得手段によって取得されたバージョン情報と、前記テーブル記憶手段に格納された視聴制限テーブル情報に対応する視聴制限テーブルのバージョン情報とが一致するか否かを判定する第２判定手段と、を備え、前記テーブル記憶手段が、前記視聴制限テーブル情報に対応する視聴制限テーブルのバージョン情報を格納しており、前記テーブル取得手段が、前記第２判定手段によって一致しないと判定された場合に、テレビジョン放送を介して、前記視聴制限テーブル情報を取得し、前記テーブル更新手段が、前記テーブル取得手段によって視聴制限テーブル情報が取得された場合に、前記テーブル記憶手段に格納された視聴制限テーブル情報及びバージョン情報を消去すると共に、前記テーブル取得手段によって取得された視聴制限テーブル情報、及び、前記バージョン取得手段によって取得されたバージョン情報を前記テーブル記憶手段に格納することを特徴としている。
【発明の効果】
【００１２】
請求項１に記載の放送受信装置によれば、２以上の第１所定数の列及び２以上の第２所定数の行を有し、列方向の位置及び行方向の位置に応じて予め設定された視聴制限条件が規定されたテーブルである視聴制限テーブル情報がテーブル記憶手段に格納されている。また、番組毎の視聴制限条件を、視聴制限テーブルの列方向の位置を示す列番号情報及び行方向の位置を示す行番号情報によって規定する番組視聴制限情報が取得され、取得された番組視聴制限情報の列番号が第１所定数より大きいとの列判定条件、及び、取得された番組視聴制限情報の行番号が第２所定数より大きいとの行判定条件、の少なくとも一方を満たすか否かが判定される。そして、列判定条件及び行判定条件の少なくとも一方を満たすと判定された場合に、テレビジョン放送を介して、視聴制限テーブル情報が取得され、テーブル記憶手段に格納された視聴制限テーブル情報が消去されると共に、取得された視聴制限テーブル情報がテーブル記憶手段に格納されるため、視聴制限テーブル情報を適正なタイミングで更新することができる。
【００１３】
すなわち、取得された番組視聴制限情報の列番号が第１所定数より大きいとの列判定条件、及び、取得された番組視聴制限情報の行番号が第２所定数より大きいとの行判定条件、の少なくとも一方を満たす場合には、テーブル記憶手段に格納されている視聴制限テーブル情報と、取得された番組視聴制限情報に対応する視聴制限テーブル情報とが相違していると判断できるので、このような場合に、テレビジョン放送を介して、視聴制限テーブル情報が取得され、テーブル記憶手段に格納された視聴制限テーブル情報が消去されると共に、取得された視聴制限テーブル情報がテーブル記憶手段に格納されるため、視聴制限テーブル情報を適正なタイミングで更新することができるのである。
【００１４】
また、テーブル記憶手段には、視聴制限テーブル情報に対応する視聴制限テーブルのバージョン情報が格納されており、テレビジョン放送を介して、視聴制限テーブル情報に対応する視聴制限テーブルのバージョンを示す情報であるバージョン情報が取得され、取得されたバージョン情報と、テーブル記憶手段に格納された視聴制限テーブル情報に対応する視聴制限テーブルのバージョン情報とが一致するか否かが判定される。そして、一致しないと判定された場合に、テレビジョン放送を介して、視聴制限テーブル情報が取得され、テーブル記憶手段に格納された視聴制限テーブル情報及びバージョン情報が消去されると共に、取得された視聴制限テーブル情報、及び、取得されたバージョン情報がテーブル記憶手段に格納されるため、視聴制限テーブル情報を更に適正なタイミングで更新することができる。
【００１５】
すなわち、テレビジョン放送を介して取得されたバージョン情報と、テーブル記憶手段に格納された視聴制限テーブル情報に対応する視聴制限テーブルのバージョン情報とが一致しないと判定された場合には、テーブル記憶手段に格納されている視聴制限テーブル情報と、取得された番組視聴制限情報に対応する視聴制限テーブル情報とが相違していると判断できるので、このような場合に、テレビジョン放送を介して、視聴制限テーブル情報が取得され、テーブル記憶手段に格納された視聴制限テーブル情報が消去されると共に、取得された視聴制限テーブル情報がテーブル記憶手段に格納されるため、視聴制限テーブル情報を適正なタイミングで更新することができるのである。
【００１６】
請求項２に記載の放送受信装置によれば、２以上の第１所定数の列及び２以上の第２所定数の行を有し、列方向の位置及び行方向の位置に応じて予め設定された視聴制限条件が規定されたテーブルである視聴制限テーブル情報がテーブル記憶手段に格納されている。また、番組毎の視聴制限条件を、視聴制限テーブルの列方向の位置を示す列番号情報及び行方向の位置を示す行番号情報によって規定する番組視聴制限情報が取得され、取得された番組視聴制限情報の列番号が第１所定数より大きいとの列判定条件、及び、取得された番組視聴制限情報の行番号が第２所定数より大きいとの行判定条件、の少なくとも一方を満たすか否かが判定される。そして、列判定条件及び行判定条件の少なくとも一方を満たすと判定された場合に、テレビジョン放送を介して、視聴制限テーブル情報が取得され、テーブル記憶手段に格納された視聴制限テーブル情報が消去されると共に、取得された視聴制限テーブル情報がテーブル記憶手段に格納されるため、視聴制限テーブル情報を適正なタイミングで更新することができる。
【００１７】
すなわち、取得された番組視聴制限情報の列番号が第１所定数より大きいとの列判定条件、及び、取得された番組視聴制限情報の行番号が第２所定数より大きいとの行判定条件、の少なくとも一方を満たす場合には、テーブル記憶手段に格納されている視聴制限テーブル情報と、取得された番組視聴制限情報に対応する視聴制限テーブル情報とが相違していると判断できるので、このような場合に、テレビジョン放送を介して、視聴制限テーブル情報が取得され、テーブル記憶手段に格納された視聴制限テーブル情報が消去されると共に、取得された視聴制限テーブル情報がテーブル記憶手段に格納されるため、視聴制限テーブル情報を適正なタイミングで更新することができるのである。
【００１８】
請求項３に記載の放送受信装置によれば、テーブル記憶手段には、視聴制限テーブル情報に対応する視聴制限テーブルのバージョン情報が格納されており、テレビジョン放送を介して、視聴制限テーブル情報に対応する視聴制限テーブルのバージョンを示す情報であるバージョン情報が取得され、取得されたバージョン情報と、テーブル記憶手段に格納された視聴制限テーブル情報に対応する視聴制限テーブルのバージョン情報とが一致するか否かが判定される。そして、一致しないと判定された場合に、テレビジョン放送を介して、視聴制限テーブル情報が取得され、テーブル記憶手段に格納された視聴制限テーブル情報及びバージョン情報が消去されると共に、取得された視聴制限テーブル情報、及び、取得されたバージョン情報がテーブル記憶手段に格納されるため、視聴制限テーブル情報を更に適正なタイミングで更新することができる。
【００１９】
すなわち、テレビジョン放送を介して取得されたバージョン情報と、テーブル記憶手段に格納された視聴制限テーブル情報に対応する視聴制限テーブルのバージョン情報とが一致しないと判定された場合には、テーブル記憶手段に格納されている視聴制限テーブル情報と、取得された番組視聴制限情報に対応する視聴制限テーブル情報とが相違していると判断できるので、このような場合に、テレビジョン放送を介して、視聴制限テーブル情報が取得され、テーブル記憶手段に格納された視聴制限テーブル情報が消去されると共に、取得された視聴制限テーブル情報がテーブル記憶手段に格納されるため、視聴制限テーブル情報を適正なタイミングで更新することができるのである。
【発明を実施するための最良の形態】
【００２０】
以下に本発明の実施形態を、図面を参照しながら説明する。図２は、本発明に係るデジタル放送受信機１の構成の一例を示すブロック図である。デジタル放送受信機１（放送受信装置に相当する）は、図２に示すリモートコントローラ（＝Ｒｅｍｏｔｅｃｏｎｔｒｏｌｌｅｒ：以下、「リモコン」という）２と赤外線通信を介して通信可能に接続されている。
【００２１】
デジタル放送受信機１は、リモコン２を介してユーザからの操作入力を受け付けて、テレビジョン放送を受信し、後述するディスプレイ１８３に出力するものであって、ＭＰＵ１１、ＲＡＭ１２、ＲＯＭ１３、操作部１４、受信部１５、音声出力部１６、ＭＰＥＧ２デコード部１７、画像出力部１８、及び、赤外線通信部１９を備えている。
【００２２】
ＭＰＵ（Ｍｉｃｒｏ  Ｐｒｏｃｅｓｓｉｎｇ  Ｕｎｉｔ）１１は、デジタル放送受信機１全体の動作を制御するものである。ＲＡＭ（Ｒａｎｄｏｍ  Ａｃｃｅｓｓ  Ｍｅｍｏｒｙ）１２は、音声情報、動画像情報等の情報を読み書き自在に格納するものである。ＲＯＭ（Ｒｅａｄ  Ｏｎｌｙ  Ｍｅｍｏｒｙ）１３は、ＭＰＵ１１を動作させる制御プログラム等を格納するものである。
【００２３】
操作部１４は、電源のＯＮ、ＯＦＦ操作、選局等の各種操作を受け付けるものである。受信部１５（視聴制限取得手段の一部、バージョン取得手段の一部、及び、テーブル取得手段の一部に相当する）は、テレビジョン放送を受信して復調するものであって、アンテナ部１５１、チューナ部１５２、Ａ／Ｄ変換部１５３、復調部１５４、及び、ＴＳデマルチプレクサ１５５を備えている。
【００２４】
アンテナ部１５１は、テレビジョン放送波を受信するものである。チューナ部１５２は、アンテナ部１５１で受信されたテレビジョン放送波から、予め設定されたチャンネルの放送を選局するものである。Ａ／Ｄ変換部１５３は、チューナ部１５２からの出力信号（＝アナログ信号）をデジタル情報に変換するものである。復調部１５４は、Ａ／Ｄ変換部１５３からの出力情報を復調するものである。ＴＳ（Ｔｒａｎｓｐｏｒｔ  Ｓｔｒｅａｍ）デマルチプレクサ１５５は、復調部１５４によって復調された出力情報を種別毎に分離して出力するものである。
【００２５】
音声出力部１６は、受信部１５によって受信されたテレビジョン放送に対応する音声を出力するものであって、Ｄ／Ａ変換部１６１、音声信号出力部１６２、及び、スピーカ１６３を備えている。Ｄ／Ａ変換部１６１は、ＴＳデマルチプレクサ１５５から出力された音声情報（＝デジタル情報）をアナログ信号に変換するものである。音声信号出力部１６２は、Ｄ／Ａ変換部１６１によってアナログ信号に変換された音声信号を出力するものである。スピーカ１６３は、音声信号出力部１６２から出力された音声信号に対応する音声を出力するものである。
【００２６】
ＭＰＥＧ（Ｍｏｔｉｏｎ  Ｐｉｃｔｕｒｅ  Ｅｘｐｅｒｔｓ  Ｇｒｏｕｐ）２デコード部１７は、ＴＳデマルチプレクサ１５５から出力された動画像情報を圧縮前の動画像情報に復号化するものである。
【００２７】
画像出力部１８は、ＭＰＥＧ２デコード部１７によって復号化された動画像情報を出力するものであって、ＮＴＳＣエンコード部１８１、映像信号出力部１８２、及び、ディスプレイ１８３を備えている。ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）エンコード部１８１は、ＭＰＥＧ２デコード部１７によって復号化された動画像情報をＮＴＳＣ方式のテレビジョン信号に変換するものである。映像信号出力部１８２は、ＮＴＳＣエンコード部１８１から出力されたＮＴＳＣ方式のテレビジョン信号をディスプレイ１８３に対して出力するものである。ディスプレイ１８３（モニタに相当する）は、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）等からなり、映像信号出力部１８２から出力されたテレビジョン信号に対応する動画像を表示するものである。
【００２８】
赤外線通信部１９は、リモコン２からの電源のＯＮ、ＯＦＦ操作、選局、デジタル放送受信機１の各種設定（視聴制限設定等）等の各種操作を受け付けるものである。
【００２９】
次に、デジタル放送受信機１が放送を受信する場合の動作について説明する。まず、送信されてきたデジタル放送波がアンテナ部１５１で受信される。操作部１４を介して選局操作が受け付けられた場合には、チューナ部１５２によって受信するトランスポンダ（Ｔｒａｎｓｐｏｎｄｅｒ）の切換が行われる。受信されたデジタル放送波は、Ａ／Ｄ変換部１５３によりデジタル情報に変換され、復調部１５４によって復調される。
【００３０】
なお、デジタル放送波は、送信側（送信局）からＴＳ（Ｔｒａｎｓｐｏｒｔ  Ｓｔｒｅａｍ）パケットとして送信される。このＴＳパケットは、動画像情報、音声情報、視聴制限テーブル情報等を含む制御情報からなり、これらの情報がＴＳデマルチプレクサ１５５によって、分離して出力され、ＲＡＭ１２に格納される。そして、ＲＡＭ１２から読み出された音声情報がＤ／Ａ変換部１６１によってアナログ信号に変換され、音声信号出力部１６２を介してスピーカ１６３から音声が出力される。
【００３１】
また、ＲＡＭ１２から読み出された動画像情報がＭＰＥＧ２デコード部１７によって圧縮前の動画像情報に復号化され、ＮＴＳＣエンコード部１８１によってＮＴＳＣ方式のテレビジョン信号に変換されて、映像信号出力部１８２を介してディスプレイ１８３に動画像が表示される。
【００３２】
図２は、リモコン２の外観の一例を示す図である。リモコン２は、ユーザからの操作入力を受け付けて、操作入力に対応する赤外線信号を生成して、デジタル放送受信機１に対して出力するものであって、赤外線信号出力部２１、バックキー２２、エンターキー２３、方向キー２４、及び、メニューキー２５を備えている。赤外線信号出力部２１は、ユーザによって押下されたキーに対応する操作信号を生成し、赤外線信号に変換してデジタル放送受信機１に対して送信するものである。
【００３３】
バックキー２２は、現在表示されている画面を元の画面に戻す場合等に押下されるキーである。エンターキー２３は、デジタル放送受信機１の視聴制限条件等の各種機能を設定する場合に押下されるキーである。方向キー２４は、視聴制限条件等の各種機能を設定する際に、図１に示すディスプレイ１８３に表示された選択可能な複数の項目から１の項目を選択する場合に押下されるキーであって、上方向に選択状態を移動させる上方向キー２４１、及び、下方向に選択状態を移動させる下方向キー２４２を備えている。メニューキー２５は、デジタル放送受信機１の視聴制限条件等の各種機能を設定する場合にメニュー画面を表示させるべく押下されるキーである。
【００３４】
図３は、本発明に係るデジタル放送受信機１における主要部の構成の一例を示すブロック図である。デジタル放送受信機１のＭＰＵ１１は、機能的に、視聴制限取得部１１１、第１判定部１１２、バージョン取得部１１３、第２判定部１１４、テーブル取得部１１５、テーブル更新部１１６、及び、機能制限設定部１１７を備えている。また、ＲＡＭ１２は、機能的に、テーブル記憶部１２１及び設定条件記憶部１２２を備えている。
【００３５】
ここでは、ＭＰＵ１１が、図１に示すＲＯＭ１３等に予め格納された制御プログラムを読み出して実行することにより、視聴制限取得部１１１、第１判定部１１２、バージョン取得部１１３、第２判定部１１４、テーブル取得部１１５、テーブル更新部１１６、機能制限設定部１１７等の機能部として機能すると共に、ＲＡＭ１２を、テーブル記憶部１２１、設定条件記憶部１２２等の機能部として機能させるものである。
【００３６】
また、図１に示すＲＡＭ１２、ＲＯＭ１３に格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）、半導体メモリ等である。
【００３７】
テーブル記憶部１２１（テーブル記憶手段に相当する）は、テーブル取得部１１５によって取得された視聴制限テーブル情報を格納すると共に、バージョン取得部１１３によって取得されたバージョン情報を格納するものである。また、テーブル記憶部１２１に格納された視聴制限テーブル情報及びバージョン情報は、テーブル更新部１１６によって更新される（＝古い視聴制限テーブル情報及びバージョン情報が消去されると共に、新たな視聴制限テーブル情報及びバージョン情報が格納される）ものである。
【００３８】
ここで、視聴制限テーブルは、２以上の第１所定数（例えば、３個）の列及び２以上の第２所定数（例えば、７個）の行を有し、列方向の位置及び行方向の位置に応じて予め設定された視聴制限条件が規定されたテーブルであって、列毎に、行番号が大きい程強い視聴制限であることを示すオーダータイプ、及び、行番号の相違により異なる種別の視聴制限であることを示すカテゴリタイプ、の一方のタイプの設定が可能に構成されたテーブルである。
【００３９】
図４は、視聴制限テーブルの一例を示す図表である。図４に示すように、視聴制限テーブルは、例えば、第１列は、レイティング項目名称が「ＴＶ−ＡＡ」に設定されたオーダータイプの視聴制限条件であって、ここでは、ＭＰＡＡ（Ｍｏｔｉｏｎ  Ｐｉｃｔｕｒｅ  Ａｓｓｏｃｉａｔｉｏｎ  ｏｆ  Ａｍｅｒｉｃａ）規格のレイティングである。第１列の第１行から順に、Ｘ、ＮＣ−１７、Ｒ、ＰＧ−１３、ＰＧ、Ｇ、ＮＲの各文字列で規定された視聴制限条件を示している。
【００４０】
第１行のＸは、ＮＣ−１７の古い規格であることを示している。第２行のＮＣ−１７（Ｎｏ  ｃｈｉｌｄｒｅｎ  ｕｎｄｅｒ  １７）は、１８歳未満（１７歳以下）の視聴を禁止したものであることを示している。第３行のＲ（Ｒｅｓｔｒｉｃｔｅｄ）は、１７歳未満（１６歳以下）の鑑賞は保護者同伴が要求されることを示している。第４行のＰＧ−１３（Ｐａｒｅｎｔｓ  ｓｔｒｏｎｇｌｙ  ｃａｕｔｉｏｎｅｄ）は、１３歳未満（１２歳以下）の子供の観賞については、保護者の厳重な注意が必要であることを示している。
【００４１】
第５行のＰＧ（Ｐａｒｅｎｔａｌ  Ｇｕｉｄａｎｃｅ  ｓｕｇｇｅｓｔｅｄ）は、子供に見せる前に保護者が内容を検討することを提案したものであることを示している。第６行のＧ（Ｇｅｎｅｒａｌ  ａｕｄｉｅｎｃｅｓ）は、全年齢に適していることを示している。第７行のＮＲ（Ｎｏｔ  Ｒａｔｅｄ）は、視聴制限がないことを示している。すなわち、第１列は、行番号が大きい程強い視聴制限であることを示すオーダータイプの視聴制限である。つまり、オーダータイプの視聴制限である場合には、行番号が大きい低年齢向けの番組に対して視聴制限を実行する場合には、厳しい視聴制限を実行することになるのである。
【００４２】
再び、図３に戻って、デジタル放送受信機１の主要部の構成について説明する。設定条件記憶部１２２は、テーブル記憶部１２１に格納された視聴制限テーブルを構成する各行、各列に格納された文字列で表される視聴制限を実行するか否かを設定する設定条件を格納するものである。また、設定条件記憶部１２２に格納された設定条件は、機能制限設定部１１７によって設定されるものである。例えば、図４に示す視聴制限テーブルに対しては、設定条件記憶部１２２には、視聴制限テーブルを構成する７行３列の計２１個の視聴制限条件毎に、各行、各列に格納された文字列で表される視聴制限を実行するか否か（＝対応する番組の視聴をブロックするか否か）を設定する設定条件が格納されている。
【００４３】
視聴制限取得部１１１（視聴制限取得手段の一部に相当する）は、受信部１５を介して受信される番組情報テーブル（Ｅｖｅｎｔ  Ｉｎｆｏｒｍａｔｉｏｎ  Ｔａｂｌｅ、以下「ＥＩＴ」という）内に含まれる情報であって、視聴制限テーブルの列方向の位置を示す列番号情報及び行方向の位置を示す行番号情報として視聴制限条件を規定するＣＡＤ（Ｃｏｎｔｅｎｔ  Ａｄｖｉｓｏｒｙ  Ｄｅｓｃｒｉｐｔｏｒ：番組視聴制限情報に相当する）を取得するものである。
【００４４】
第１判定部１１２（第１判定手段に相当する）は、視聴制限取得部１１１によって取得されたＣＡＤの列番号が第１所定数（ここでは、「３」）より大きいとの列判定条件、及び、視聴制限取得部によって取得されたＣＡＤの行番号が第２所定数（ここでは、「７」）より大きいとの行判定条件、の少なくとも一方を満たすか否かを判定するものである。この列判定条件及び行判定条件の少なくとも一方を満たす場合には、ＣＡＤで示される位置が、テーブル記憶部１２１に格納された視聴制限テーブルに含まれない位置であり、ＣＡＤは、更新された（＝新たな）視聴制限テーブルに対応する番組視聴制限情報であって、テーブル記憶部１２１に格納された視聴制限テーブルは更新される前の（＝古い）視聴制限テーブルである。
【００４５】
具体的には、第１判定部１１２は、テーブル記憶部１２１に格納された視聴制限テーブルに対応するＲＲＴに含まれるｄｉｍｅｎｓｉｏｎｓ＿ｄｅｆｉｎｅｄ（第１所定数に相当する：以下、「ＤＤ」という）、及び、ｖａｌｕｅｓ＿ｄｅｆｉｎｅｄ（第２所定数に相当する：以下、「ＶＤ」という）と、視聴制限取得部１１１によって取得されたＣＡＤに含まれるｒａｔｅｄ＿ｄｉｍｅｎｓｉｏｎｓ（列番号情報に相当する：以下、「ＲＤ」という）、及び、行番号情報であるｒａｔｉｎｇ＿ｖａｌｕｅ（行番号情報に相当する：以下、「ＲＶ」という）とが、以下の（１）、（２）式の少なくともいずれか一方を満たすか否かを判定するものである。
ＲＤ＞ＤＤ      （１）：列判定条件
ＲＶ＞ＶＤ      （２）：行判定条件
【００４６】
なお、引っ越し等に伴って、１の地域から他の地域にデジタル放送受信機１が移設されると、１の地域で受信されるＲＲＴと他の地域で受信されるＲＲＴとが、同一のバージョン情報を有する場合であっても、視聴制限テーブルの内容が相違する場合がある。このような場合に、第１判定部１１２によって、視聴制限取得部１１１により取得されたＣＡＤが列判定条件及び行判定条件の少なくとも一方を満たすと判定された場合（＝ＣＡＤで示される位置が、テーブル記憶部１２１に格納された視聴制限テーブルに含まれない位置である場合）には、ＣＡＤは、更新された（＝他の地域の）視聴制限テーブルに対応する番組視聴制限情報であって、テーブル記憶部１２１に格納された視聴制限テーブルは更新される前の（＝１の地域の）視聴制限テーブルである。
【００４７】
バージョン取得部１１３（バージョン取得手段の一部に相当する）は、受信部１５を介して視聴制限テーブル情報に対応する視聴制限テーブルのバージョン情報を取得するものである。
【００４８】
第２判定部１１４（第２判定手段に相当する）は、バージョン取得部１１３によって取得されたバージョン情報が、テーブル記憶部１２１に格納された視聴制限テーブル情報に対応するバージョン情報と一致するか否かを判定するものである。すなわち、第２判定部１１４は、バージョン情報が一致しない場合に、テーブル記憶部１２１に格納された視聴制限テーブル情報と、視聴制限取得部１１１によって取得されたＣＡＤに対応する視聴制限テーブル情報とが一致しないと判定するものである。
【００４９】
テーブル取得部１１５（テーブル取得手段の一部に相当する）は、受信部１５を介して受信されるＲＲＴ（Ｒａｔｉｎｇ  Ｒｅｇｉｏｎ  Ｔａｂｌｅ：視聴制限テーブル情報に相当する）を取得して、取得されたＲＲＴに基づいて列方向の位置及び行方向の位置に応じて予め設定された視聴制限条件が規定されたテーブルである視聴制限テーブルを生成するものである（図４参照）。
【００５０】
テーブル更新部１１６（テーブル更新手段に相当する）は、テーブル取得部１１５によって視聴制限テーブル情報が取得された場合に、テーブル記憶部１２１に格納された視聴制限テーブル情報及びバージョン情報を消去すると共に、テーブル取得部１１５によって取得された視聴制限テーブル情報、及び、バージョン取得部１１３によって取得されたバージョン情報をテーブル記憶部１２１に格納するものである。
【００５１】
機能制限設定部１１７は、リモコン２を介してユーザからの操作入力を受け付けて、受け付けられた操作入力に基づいてテーブル記憶部１２１に格納された視聴制限テーブル情報をディスプレイ１８３に表示すると共に、ディスプレイ１８３に表示された視聴制限テーブル情報又は仮の視聴制限テーブル情報を介して、視聴制限取得部１１１によって取得されたＣＡＤに対応する視聴制限を実行するか否かの設定を行うものである（図５参照）。
【００５２】
図５は、機能制限設定部１１７によってディスプレイ１８３に表示されるレイティング設定画面の一例を示す画面図である。図５は、テーブル記憶部１２１に、図４に示す視聴制限テーブル情報が格納されている場合のレイティング設定画面の一例を示す画面図である。
【００５３】
機能制限設定部１１７は、リモコン２に配設されたメニューキー２５（図２参照）に対応する操作信号が受け付けられた場合に、図５に示すレイティング項目選択画面３００を表示する。図５（ａ）に示すように、レイティング項目選択画面３００には、図４に示す視聴制限テーブル情報のレイティング項目名称を表示する項目名称表示部３０１と、選択状態を示す選択マーク３０２と、が表示されている。
【００５４】
機能制限設定部１１７は、リモコン２に配設された上方向キー２４１（図２参照）に対応する操作信号が受け付けられた場合に、選択マーク３０２を上方向に移動させ、選択状態とされている項目名称表示部３０１を変更する。また、機能制限設定部１１７は、リモコン２に配設された下方向キー２４２（図２参照）に対応する操作信号が受け付けられた場合に、選択マーク３０２を下方向に移動させ、選択状態とされている項目名称表示部３０１を変更する。
【００５５】
そして、機能制限設定部１１７は、リモコン２に配設されたエンターキー２３（図２参照）に対応する操作信号が受け付けられた場合に、図５（ｂ）に示す視聴制限設定画面３１０を表示する。視聴制限設定画面３１０には、レイティング項目選択画面３００を介して選択されたレイティング項目名称を表示する項目名称表示部３１１と、選択されたレイティング項目に対応する視聴制限テーブルの列に格納されている文字列で規定された視聴制限条件を表示する視聴制限条件表示部３１２と、選択状態を示す選択マーク３１３と、視聴制限条件表示部３１２の右側に、各視聴制限条件に対応する視聴制限を実行するか否か（＝視聴制限条件に対応する番組の視聴をブロックするか否か）を表示するブロックマーク３１４と、操作ガイダンス情報を表示するガイダンス表示部３１５と、が表示されている。
【００５６】
ガイダンス表示部３１５には、左側から順に、上方向キー２４１及び下方向キー２４２（図２参照）を介して選択状態とされている視聴制限条件表示部３１２を変更する旨の操作ガイダンス情報、エンターキー２３（図２参照）を介して視聴制限を実行するか否か（＝視聴制限条件に対応する番組の視聴をブロックするか否か）の設定を行う旨の操作ガイダンス情報、及び、バックキー２２（図２参照）を介して画面を１つ前の画面（ここでは、図５（ａ）に示すレイティング項目選択画面３００）に戻す旨の操作ガイダンス情報が表示されている。
【００５７】
機能制限設定部１１７は、リモコン２に配設された上方向キー２４１（図２参照）に対応する操作信号が受け付けられた場合に、選択マーク３１３を上方向に移動させ、選択状態とされている視聴制限条件表示部３１２を変更する。また、機能制限設定部１１７は、リモコン２に配設された下方向キー２４２（図２参照）に対応する操作信号が受け付けられた場合に、選択マーク３１３を下方向に移動させ、選択状態とされている視聴制限条件表示部３１２を変更する。
【００５８】
機能制限設定部１１７は、図５（ｂ）に示す視聴制限設定画面３１０において、エンターキー２３（図２参照）に対応する操作信号が受け付けられた場合に、選択状態とされている視聴制限条件表示部３１２に対応する視聴制限を実行する（＝視聴制限条件に対応する番組の視聴をブロックする）旨の設定を行い（＝設定条件記憶部１２２に視聴制限を実行する旨の設定条件を格納し）、視聴制限を実行する旨のマークであるブロックマーク３１４を表示する。
【００５９】
なお、レイティング項目名称を表示する項目名称表示部３１１に対応するレイティング項目に対応する視聴制限テーブルの列のタイプがオーダータイプに設定されている場合には、機能制限設定部１１７は、選択状態とされている視聴制限条件表示部３１２、及び、その上側に表示されている全ての視聴制限条件表示部３１２（選択状態とされている視聴制限条件表示部３１２よりも弱い視聴制限条件に対応する視聴制限条件表示部３１２）に対応する視聴制限を実行する（＝視聴制限条件に対応する番組の視聴をブロックする）旨の設定を行い、視聴制限を実行する旨のマークであるブロックマーク３１４を表示する。
【００６０】
図６は、デジタル放送受信機１（主にＭＰＵ１１）の動作の一例を示すフローチャートである。なお、ここでは、便宜上、テーブル取得部１１５によって予め受信部１５を介して受信されるＲＲＴが受信され、取得されたＲＲＴに基づいて列方向の位置及び行方向の位置に応じて予め設定された視聴制限条件が規定されたテーブルである視聴制限テーブルを生成されてテーブル記憶部１２１に格納されていると共に、バージョン取得部１１３によって予め受信部１５を介して視聴制限テーブル情報に対応する視聴制限テーブルのバージョン情報が取得されて、テーブル記憶部１２１に格納されている場合について説明する。
【００６１】
まず、バージョン取得部１１３によって受信部１５を介してバージョン情報が取得されたか否かの判定が行われる（Ｓ１０１）。バージョン情報が取得されていないと判断された場合（Ｓ１０１でＮＯ）には、処理がステップＳ１０５に進められる。バージョン情報が取得されたと判断された場合（Ｓ１０１でＹＥＳ）には、第２判定部１１４によって、ステップＳ１０１において取得されたバージョン情報が、テーブル記憶部１２１に格納された視聴制限テーブル情報に対応するバージョン情報と一致するか否かの判定が行われる（Ｓ１０３）。一致しないと判定された場合（Ｓ１０３でＮＯ）には、処理がステップＳ１１１に進められる。一致すると判定された場合（Ｓ１０３でＹＥＳ）は、視聴制限取得部１１１によって、番組視聴制限情報（＝ＣＡＤ）が取得されたか否かの判定が行われる（Ｓ１０５）。
【００６２】
ＣＡＤが取得されていないと判定された場合（Ｓ１０５でＮＯ）には、処理がステップＳ１０１に戻され、ステップＳ１０１以降の処理が繰り返し実行される。ＣＡＤが取得されたと判定された場合（Ｓ１０５でＹＥＳ）には、第１判定部１１２によって、ＣＡＤの列番号（＝ＲＤ）が第１所定数（＝ＤＤ）より大きいか否かの判定が行われる（Ｓ１０７）。ＲＤがＤＤより大きいと判定された場合（Ｓ１０７でＹＥＳ）には、処理がステップＳ１１１に進められる。
【００６３】
ＲＤがＤＤ以下であると判定された場合（Ｓ１０７でＮＯ）には、第１判定部１１２によって、ＣＡＤの行番号（＝ＲＶ）が第１所定数（＝ＶＤ）より大きいか否かの判定が行われる（Ｓ１０９）。ＲＶがＶＤより大きいと判定された場合（Ｓ１０９でＹＥＳ）には、処理がステップＳ１１１に進められる。ＲＶがＶＤ以下であると判定された場合（Ｓ１０９でＮＯ）には、処理がステップＳ１０１に戻され、ステップＳ１０１以降の処理が繰り返し実行される。
【００６４】
ステップＳ１０３でＮＯの場合、ステップＳ１０７でＹＥＳの場合、又は、ステップＳ１０９でＹＥＳの場合には、テーブル取得部１１５によって、受信部１５を介してＲＲＴが取得されて、取得されたＲＲＴに基づいて視聴制限テーブルが生成される（Ｓ１１１）。そして、テーブル更新部１１６によって、テーブル記憶部１２１に格納された視聴制限テーブル情報及びバージョン情報が消去される（Ｓ１１３）。次に、ステップＳ１１１において生成された視聴制限テーブル情報、及び、ステップＳ１０１において取得されたバージョン情報がテーブル記憶部１２１に格納され（Ｓ１１５）、処理が終了される。
【００６５】
このようにして、２以上の第１所定数（ここでは、「３」）の列及び２以上の第２所定数（ここでは、「７」）の行を有し、列方向の位置及び行方向の位置に応じて予め設定された視聴制限条件が規定されたテーブルである視聴制限テーブル情報がテーブル記憶部１２１に格納されている。また、番組毎の視聴制限条件を、視聴制限テーブルの列方向の位置を示す列番号情報及び行方向の位置を示す行番号情報によって規定する番組視聴制限情報（＝ＣＡＤ）が取得され、取得された番組視聴制限情報の列番号が第１所定数（ここでは、「３」）より大きいとの列判定条件、及び、取得された番組視聴制限情報の行番号が第２所定数（ここでは、「７」）より大きいとの行判定条件、の少なくとも一方を満たすか否かが判定される。そして、列判定条件及び行判定条件の少なくとも一方を満たすと判定された場合に、受信部１５を介して、視聴制限テーブル情報（＝ＲＲＴ）が取得され、テーブル記憶部１２１に格納された視聴制限テーブル情報が消去されると共に、取得された視聴制限テーブル情報がテーブル記憶部１２１に格納されるため、視聴制限テーブル情報を適正なタイミングで更新することができる。
【００６６】
すなわち、取得された番組視聴制限情報（＝ＣＡＤ）の列番号（＝ＲＤ）が第１所定数（＝ＤＤ：ここでは、「３」）より大きいとの列判定条件、及び、取得された番組視聴制限情報（＝ＣＡＤ）の行番号（＝ＲＶ）が第２所定数（＝ＶＤ：ここでは、「７」）より大きいとの行判定条件、の少なくとも一方を満たす場合には、テーブル記憶部１２１に格納されている視聴制限テーブル情報と、取得された番組視聴制限情報（＝ＣＡＤ）に対応する視聴制限テーブル情報（＝ＲＲＴ）とが相違していると判断できるので、このような場合に、受信部１５を介して、視聴制限テーブル情報（＝ＲＲＴ）が取得され、テーブル記憶部１２１に格納された視聴制限テーブル情報が消去されると共に、取得された視聴制限テーブル情報がテーブル記憶部１２１に格納されるため、視聴制限テーブル情報を適正なタイミングで更新することができるのである。
【００６７】
また、テーブル記憶部１２１には、視聴制限テーブル情報に対応する視聴制限テーブルのバージョン情報が格納されており、受信部１５を介して、視聴制限テーブル情報に対応する視聴制限テーブルのバージョンを示す情報であるバージョン情報が取得され、取得されたバージョン情報と、テーブル記憶部１２１に格納された視聴制限テーブル情報に対応する視聴制限テーブルのバージョン情報とが一致するか否かが判定される。そして、一致しないと判定された場合に、受信部１５を介して、視聴制限テーブル情報が取得され、テーブル記憶部１２１に格納された視聴制限テーブル情報及びバージョン情報が消去されると共に、取得された視聴制限テーブル情報、及び、取得されたバージョン情報がテーブル記憶手段に格納されるため、視聴制限テーブル情報を更に適正なタイミングで更新することができる。
【００６８】
すなわち、受信部１５を介して取得されたバージョン情報と、テーブル記憶部１２１に格納された視聴制限テーブル情報に対応する視聴制限テーブルのバージョン情報とが一致しないと判定された場合には、テーブル記憶部１２１に格納されている視聴制限テーブル情報と、取得された番組視聴制限情報（＝ＣＡＤ）に対応する視聴制限テーブル情報とが相違していると判断できるので、このような場合に、受信部１５を介して、視聴制限テーブル情報（＝ＲＲＴ）が取得され、テーブル記憶部１２１に格納された視聴制限テーブル情報が消去されると共に、取得された視聴制限テーブル情報がテーブル記憶部１２１に格納されるため、視聴制限テーブル情報を適正なタイミングで更新することができるのである。
【００６９】
なお、本発明は、以下の形態にも適用可能である。
（Ａ）本実施形態では、放送受信装置が、デジタル放送受信機１である場合について説明したが、放送受信装置が、テレビジョン放送を受信し、外部から視認可能にディスプレイ１８３に出力するであればよい。例えば、放送受信装置が、アナログ放送を受信する形態でもよいし、アナログ放送及びデジタル放送を受信する形態でもよい。ただし、ＣＡＤに相当する番組視聴制限情報、及び、ＲＲＴに相当する視聴制限テーブル情報が取得可能な形態である必要がある。
【００７０】
（Ｂ）本実施形態では、モニタが、デジタル放送受信機１に配設されたディスプレイ１８３である場合について説明したが、モニタが、デジタル放送受信機１とは別の装置として構成されている形態でもよい。例えば、モニタが、パーソナルコンピュータ等に配設されたモニタである形態でもよい。
【００７１】
（Ｃ）本実施形態では、機能制限設定部１１７が、リモコン２を介してユーザからの操作入力を受け付ける場合について説明したが、機能制限設定部１１７が、操作部１４を介してユーザからの操作入力を受け付ける形態でもよい。
【００７２】
（Ｄ）本実施形態では、第２判定部１１４が、バージョン情報に基づいて、テーブル記憶部１２１に格納された視聴制限テーブル情報と、視聴制限取得部１１１によって取得されたＣＡＤに対応する視聴制限テーブル情報とが一致するか否かを判定する場合について説明したが、その他の情報に基づいてテーブル記憶部１２１に格納された視聴制限テーブル情報と、視聴制限取得部１１１によって取得されたＣＡＤに対応する視聴制限テーブル情報とが一致するか否かを判定する形態でもよい。
【００７３】
例えば、第２判定部１１４が、ＲＲＴに含まれるレイティング項目名称情報に基づいて、テーブル記憶部１２１に格納された視聴制限テーブル情報と、視聴制限取得部１１１によって取得されたＣＡＤに対応する視聴制限テーブル情報とが一致するか否かを判定する形態でもよい。すなわち、第２判定部１１４が、視聴制限取得部１１１によって取得されたＣＡＤに対応するＲＲＴに含まれるレイティング項目名称と、テーブル記憶部１２１に格納された視聴制限テーブル情報のレイティング項目名称とが一致するか否かを判定する形態でもよい。
【図面の簡単な説明】
【００７４】
【図１】は、本発明に係るデジタル放送受信機の一例を示すブロック図である。
【図２】は、リモコンの外観の一例を示す図である。
【図３】は、本発明に係るデジタル放送受信機における主要部の構成の一例を示すブロック図である。
【図４】は、視聴制限テーブルの一例を示す図表である。
【図５】は、機能制限設定部によってディスプレイに表示されるレイティング設定画面の一例を示す画面図である。
【図６】は、デジタル放送受信機（主にＭＰＵ）の動作の一例を示すフローチャートである。
【符号の説明】
【００７５】
１    デジタル放送受信機（放送受信装置）
１１    ＭＰＵ
１１１    視聴制限取得部（視聴制限取得手段の一部）
１１２    第１判定部（第１判定手段）
１１３    バージョン取得部（バージョン取得手段の一部）
１１４    第２判定部（第２判定手段）
１１５    テーブル取得部（テーブル取得手段の一部）
１１６    テーブル更新部（テーブル更新手段）
１１７    機能制限設定部
１２    ＲＡＭ
１２１    テーブル記憶部（テーブル記憶手段）
１２２    設定条件記憶部
１４    操作部
１５    受信部（視聴制限取得手段の一部、バージョン取得手段の一部、テーブル取得手段の一部）
１８    画像出力部
１８３    ディスプレイ（モニタ）
２    リモコン
【図１】
2008167191.tif 000003
【図２】
2008167191.tif 000004
【図３】
2008167191.tif 000005
【図４】
2008167191.tif 000006
【図５】
2008167191.tif 000007
【図６】
2008167191.tif 000008